(57)【特許請求の範囲】
【請求項１】
局所的環境の検知と遠隔受信のための一つ又はそれ以上の局所的協調動作を実施するための複数個のモバイル通信装置であって、
前記複数個のモバイル通信装置の各一つが、
一つ又はそれ以上の入ってくる局所的通信信号を供給することにより前記複数個のモバイル通信装置の少なくとも別の一つからの一つ又はそれ以上の局所的ワイヤレス送信信号に応答し、前記複数個のモバイル通信装置の少なくとも別の一つによる受信のための一つ又はそれ以上の局所的ワイヤレス送信信号を供給することにより一つ又はそれ以上の出て行く局所的通信信号に応答する、ワイヤレス通信回路と、
前記ワイヤレス通信回路に結合されており、一つ又はそれ以上の出力信号と前記一つ又はそれ以上の出て行く局所的通信信号との少なくとも一つを供給することにより、前記一つ又はそれ以上の入ってくる局所的通信信号と一つ又はそれ以上の入力信号との少なくとも一つに応答する、処理回路と、
前記処理回路に結合されており、前記一つ又はそれ以上の入力信号と一つ又はそれ以上の局所的エネルギエミッションとの少なくとも一つを供給することにより、一つ又はそれ以上の局所的励起と前記一つ又はそれ以上の出力信号との少なくとも一つに応答する、入力／出力回路と、
を含み、
前記複数個のモバイル通信装置の第一のモバイル通信装置が、前記局所的環境により放射されるサウンドエネルギを除いて前記一つ又はそれ以上の局所的環境特性励起の第一の局所的環境特性励起を受け取り、それに応答して、前記一つ又はそれ以上の局所的ワイヤレス送信信号の第一の局所的ワイヤレス送信信号を供給し、
前記複数個のモバイル通信装置の第二のモバイル通信装置が、前記一つ又はそれ以上の局所的環境特性励起の前記第一の局所的環境特性励起に関連する前記一つ又はそれ以上の局所的エネルギエミッションの第一の局所的エネルギエミッションを供給することにより、前記一つ又はそれ以上の局所的ワイヤレス送信信号の前記第一の局所的ワイヤレス送信信号に応答する、
複数個のモバイル通信装置。
【請求項２】
請求項１に記載の複数個のモバイル通信装置であって、
前記一つ又はそれ以上の局所的エネルギエミッションが、音響エネルギのエミッションと可視光のエミッションとの少なくとも一つを含む、複数個のモバイル通信装置。
【請求項３】
請求項１に記載の複数個のモバイル通信装置であって、
前記ワイヤレス通信回路が、無線周波数（ＲＦ）トランシーバ回路と赤外線（ＩＲ）トランシーバ回路との少なくとも一つを含む、複数個のモバイル通信装置。
【請求項４】
請求項１に記載の複数個のモバイル通信装置であって、
前記入力／出力回路が、
少なくも１個のセンサーを含み、前記一つ又はそれ以上の入力信号を供給することにより前記局所的環境特性の検知に応答する検知回路と、
英数字キーパッドを含み、前記一つ又はそれ以上の入力信号を供給することにより前記一つ又はそれ以上の局所的励起として一つ又はそれ以上のユーザのエントリに応答する入力回路と、
の少なくとも一つを含む、複数個のモバイル通信装置。
【請求項５】
請求項１に記載の複数個のモバイル通信装置であって、
前記処理回路が、
複数個の命令を格納するためのメモリ回路と、
前記メモリ回路へ結合されており、前記一つ又はそれ以上の出力信号を供給するために前記一つ又はそれ以上の入ってくる局所的通信信号を処理し、前記一つ又はそれ以上の出て行く局所的通信信号を供給するために前記一つ又はそれ以上の入力信号を処理することにより、前記複数個の命令に応答する、コンピュータ回路と、
を含む、複数個のモバイル通信装置。
【発明の詳細な説明】
【技術分野】
【０００１】
本発明は、ワイヤレス通信装置に関するものであって、更に詳細には、局所的協調動作（collaborative operation）を実施することが可能なモバイル通信装置に関するものである。
【背景技術】
【０００２】
携帯電話又はその他のハンドヘルド型又はワイヤレス通信（電話又はインターネットアクセスを含むがそれに制限されるものではない）及び局所的処理又はディスプレイ機能が可能なその他のポータブル装置等のモバイル通信装置は、強力なワイヤレスネットワークにおけるノードとして多くの態様で動作し、その場合に、ネットワーク内のノード数が増加するに従いネットワークのパワーはおびただしく増加する。例えば、典型的なモバイル電話は、コンピュータと、ディスプレイと、ワイヤレストランシーバと、１個又はそれ以上の音響的出力トランスデューサ（例えば、スピーカ）と、１個又はそれ以上の入力音響的トランスデューサ（例えば、マイクロフォン）とを包含している。
【発明の概要】
【発明が解決しようとする課題】
【０００３】
この様な計算、処理及び通信能力が使用可能である場合に、電話呼び出しを単に開始し且つ受け取り、テキストメッセージを送り且つ受け取り、又はインターネットへアクセスするだけではなく、一層多くの動作の実施を提供することが望ましい。
【課題を解決するための手段】
【０００４】
現在特許請求の範囲に記載されている発明によれば、１個又はそれ以上の局所的な協調動作を実施するために複数個のモバイル通信装置が設けられる。１実施例においては、該モバイル通信装置の内の一つが、第１局所的エネルギ放出、即ちエミッション（emission）、及びそれに関係して、局所的ワイヤレス送信信号を与え、一方、該モバイル通信装置の内の別の一つが、該第１局所的エネルギ放出に関係する第２局所的エネルギ放出を与えることによって、該局所的ワイヤレス送信信号に応答する。別の実施例においては、該モバイル通信装置の内の一つが、ユーザによる放出される音声エネルギを除いた局所的励起、即ちスティミュラス（stimulus）を受け取り、且つ、それに応答して、局所的ワイヤレス送信信号を供給し、一方、該モバイル通信装置の内の別のものが、該局所的励起に関連する局所的エネルギ放出を与えることによって該局所的ワイヤレス送信信号に応答する。別の実施例においては、モバイル通信装置の各々が局所的励起の夫々の部分を受け取り、それに応答して、モバイル通信装置の内の少なくとも一つが局所的ワイヤレス送信信号を送信し、それに応答して、モバイル通信装置の内の第二のものが、それ自身に加えて局所的励起に対する応答に関連する局所的エネルギエミッションを与える。付加的な実施例において、モバイル通信装置の各々が局所的励起の夫々の部分を受け取り且つ、それに応答して、
局所的励起に対する種々の応答に関する情報を遠隔に位置しているシステムに対して協調的に提供するためのワイヤレス送信信号を送信する。
【０００５】
現在特許請求の範囲に記載されている発明の一つの実施例によれば、複数個のモバイル通信装置が一つ又はそれ以上の局所的協調動作を実施するために提供され、その場合に、該複数個のモバイル通信装置の各一つは、
一つ又はそれ以上の入ってくる（incoming）局所的通信信号を与えることにより該複数個のモバイル通信装置の内の少なくとも別の一つからの一つ又はそれ以上の局所的ワイヤレス送信信号と、該複数個のモバイル通信装置の内の少なくとも別の一つによる受信のための一つ又はそれ以上の局所的ワイヤレス送信信号を与えることにより一つ又はそれ以上の出て行く局所的通信信号とに応答するワイヤレス通信回路、
該ワイヤレス通信回路に結合されており、少なくとも１個又はそれ以上の出力（output）信号及び該一つ又はそれ以上の出て行く局所的通信信号を与えることにより該一つ又はそれ以上の入って来る局所的通信信号及び一つ又はそれ以上の入力（input）信号の内の少なくとも一つに応答する処理回路、及び
該処理回路に結合されており、該１個又はそれ以上の入力信号及び１個又はそれ以上の局所的エネルギエミッションの内の少なくとも一つを与えることにより該１個又はそれ以上の局所的励起及び該１個又はそれ以上の出力信号に応答する入力／出力回路、
を有しており、
該複数個のモバイル通信装置の内の第１のものが該一つ又はそれ以上の局所的エネルギエミッションの内の第一のもの、及び、それに関連して、該一つ又はそれ以上の局所的ワイヤレス送信信号の内の第一のものを与え、且つ
該複数個のモバイル通信装置の内の第２のものが、該一つ又はそれ以上の局所的エネルギエミッションの内の該第一のものに関連する該一つ又はそれ以上の局所的エネルギエミッションの内の第二のものを与えることにより、該一つ又はそれ以上の局所的ワイヤレス送信信号の内の該第一のものに応答する。
【０００６】
現在特許請求の範囲に記載されている発明の別の実施例によれば、一つ又はそれ以上の局所的協調動作を実施するために複数個のモバイル通信装置が提供され、該複数個のモバイル通信装置の内の各一つが、
一つ又はそれ以上の入ってくる局所的通信信号を与えることにより該複数個のモバイル通信装置の内の少なくとも別の一つからの一つ又はそれ以上の局所的ワイヤレス送信信号と、該複数個のモバイル通信装置の内の少なくとも別の一つによる受信のための一つ又はそれ以上の局所的ワイヤレス送信信号を与えることにより一つ又はそれ以上の出て行く（outgoing）局所的通信信号とに応答するワイヤレス通信回路、
該ワイヤレス通信回路に結合されており、一つ又はそれ以上の出力信号及び該一つ又はそれ以上の出て行く局所的通信信号の内の少なくとも一つを与えることにより該一つ又はそれ以上の入って来る局所的通信信号及び一つ又はそれ以上の入力信号の内の少なくとも一つに応答する処理回路、
該処理回路に結合されており、該一つ又はそれ以上の入力信号及び一つ又はそれ以上の局所的エネルギエミッションの内の少なくとも一つを与えることにより一つ又はそれ以上の局所的励起及び該一つ又はそれ以上の出力信号の内の少なくとも一つに応答する入力／出力回路、
を有しており、
該複数個のモバイル通信装置の内の第１のものが、ユーザにより射出される音声エネルギを除いて該一つ又はそれ以上の局所的励起の内の第一のものを受け取り、且つ、それに応答して、該一つ又はそれ以上の局所的ワイヤレス送信信号の内の第一のものを与え、且つ
該複数個のモバイル通信装置の内の第２のものが、該一つ又はそれ以上の局所的励起の内の該第一のものに関連する該一つ又はそれ以上の局所的エネルギエミッションの内の第一のものを与えることにより該一つ又はそれ以上の局所的ワイヤレス送信信号の内の該第一のものに応答する。
【０００７】
現在特許請求の範囲に記載されている発明の別の実施例によれば、一つ又はそれ以上の局所的協調動作を実施するために複数個のモバイル通信装置が提供され、該複数個のモバイル通信装置の内の各一つが、
該複数個のモバイル通信装置のうちの少なくとも別の一つから一つ又はそれ以上の局所的ワイヤレス送信信号を受け取り且つそれに応答して一つ又はそれ以上の入って来る局所的通信信号を与え、且つ一つ又はそれ以上の出て行く局所的通信信号を受け取り且つそれに応答して該複数個のモバイル通信装置のうちの少なくとも別の一つによる受信のための一つ又はそれ以上の局所的ワイヤレス送信信号を与えるためのワイヤレス通信手段、
該一つ又はそれ以上の入って来る局所的通信信号及び一つ又はそれ以上の入力信号の内の少なくとも一つを受け取り且つそれに応答して一つ又はそれ以上の出力信号及び該一つ又はそれ以上の出て行く局所的通信信号の内の少なくとも一つを与えるためのプロセッサ手段、及び
一つ又はそれ以上の局所的励起及び該一つ又はそれ以上の出力信号の内の少なくとも一つを受け取り且つそれに応答して該一つ又はそれ以上の入力信号及び一つ又はそれ以上の局所的エネルギエミッションの内の少なくとも一つを与えるための入力／出力手段、
を有しており、
該複数個のモバイル通信装置の内の第一のものが該一つ又はそれ以上の局所的エネルギエミッションの内の第一のもの、及び、それに関連して、該一つ又はそれ以上の局所的ワイヤレス送信信号の内の第一のものを与え、且つ
該複数個のモバイル通信装置の内の第２のものが、該一つ又はそれ以上の局所的エネルギエミッションの内の該第一のものに関連する該一つ又はそれ以上の局所的エネルギエミッションの内の第二のものを与えることにより、該一つ又はそれ以上の局所的ワイヤレス送信信号の内の該第一のものに応答する。
【０００８】
現在特許請求の範囲に記載されている別の発明によれば、一つ又はそれ以上の局所的協調動作を実施するために複数個のモバイル通信装置が提供され、該複数個のモバイル通信装置の内の各一つが、
該複数個のモバイル通信装置の内の少なくとも別の一つから一つ又はそれ以上の局所的ワイヤレス送信信号を受け取り且つそれに応答して一つ又はそれ以上の入ってくる局所的通信信号を与え、且つ一つ又はそれ以上の出て行く局所的通信信号を受け取り且つそれに応答して該複数個のモバイル通信装置のうちの少なくとも別の一つによる受信のための一つ又はそれ以上の局所的ワイヤレス送信信号を与えるためのワイヤレス通信手段、
該一つ又はそれ以上の入ってくる局所的通信信号及び一つ又はそれ以上の入力信号の内の少なくとも一つを受け取り且つそれに応答して一つ又はそれ以上の出力信号及び該一つ又はそれ以上の出て行く局所的通信信号のうちの少なくとも一つを与えるためのプロセッサ手段、
一つ又はそれ以上の局所的励起及び該一つ又はそれ以上の出力信号の内の少なくとも一つを受け取り且つそれに応答して該一つ又はそれ以上の入力信号及び一つ又はそれ以上の局所的エネルギエミッションの内の少なくとも一つを与えるための入力／出力手段、
を有しており、
該複数個のモバイル通信装置の内の第一のものが、ユーザにより射出される音声エネルギを除いて該一つ又はそれ以上の局所的励起の内の第一のものを受け取り、且つそれに応答して、該一つ又はそれ以上の局所的ワイヤレス送信信号の内の第一のものを与え、且つ
該複数個のモバイル通信装置の内の第二のものが、該一つ又はそれ以上の局所的励起の内の該第一のものに関連する該一つ又はそれ以上の局所的エネルギエミッションの内の第一のものを与えることにより該一つ又はそれ以上の局所的ワイヤレス送信信号の内の該第一のものに応答する。
【０００９】
現在特許請求の範囲に記載されている発明の別の実施例によれば、一つ又はそれ以上の局所的協調動作を実施するために複数個のモバイル通信装置が提供されており、該複数個のモバイル通信装置の各一つは、
一つ又はそれ以上の入ってくる局所的通信信号を与えることにより該複数個のモバイル通信装置の内の少なくとも別の一つからの一つ又はそれ以上の局所的ワイヤレス送信信号、及び該複数個のモバイル通信装置の内の少なくとも別の一つによる受信のための一つ又はそれ以上の局所的ワイヤレス送信信号を与えることにより一つ又はそれ以上の出て行く局所的通信信号に応答するワイヤレス通信回路、
該ワイヤレス通信回路に結合されており、一つ又はそれ以上の出力信号及び該一つ又はそれ以上の出て行く局所的通信信号の内の少なくとも一つを与えることにより該一つ又はそれ以上の入ってくる局所的通信信号及び一つ又はそれ以上の入力信号の内の少なくとも一つに応答する処理回路、
該処理回路に結合されており、該一つ又はそれ以上の入力信号及び一つ又はそれ以上の局所的エネルギエミッションの内の少なくとも一つを与えることにより一つ又はそれ以上の局所的励起及び該一つ又はそれ以上の出力信号の内の少なくとも一つに応答する入力／出力回路、
を有しており、
該複数個のモバイル通信装置の内の第一のものが、該一つ又はそれ以上の局所的ワイヤレス送信信号の内の第一のものを与えることにより該一つ又はそれ以上の局所的励起の少なくとも第一の部分に応答し、且つ
該複数個のモバイル通信装置の内の第二のものが、該一つ又はそれ以上の局所的エネルギエミッションの内の第一のものを与えることにより、該一つ又はそれ以上の局所的励起の内の少なくとも第二の部分及び該一つ又はそれ以上の局所的ワイヤレス送信信号の内の少なくとも該第一のものに応答する。
【００１０】
現在特許請求の範囲に記載されている発明の別の実施例によれば、一つ又はそれ以上の局所的協調動作を実施するために複数個のモバイル通信装置が提供され、該複数個のモバイル通信装置の内の各一つが、
一つ又はそれ以上の入ってくる局所的通信信号を与えることにより該複数個のモバイル通信装置の内の少なくとも別の一つからの一つ又はそれ以上の局所的ワイヤレス送信信号と、該複数個のモバイル通信装置の内の少なくとも別の一つによる受信のための一つ又はそれ以上の局所的ワイヤレス送信信号を与えることにより一つ又はそれ以上の出て行く局所的通信信号と、該複数個のモバイル通信装置から遠隔的に位置している受信機による受信のための一つ又はそれ以上の遠隔ワイヤレス送信信号を与えることにより一つ又はそれ以上の出て行く遠隔通信信号と、に応答するワイヤレス通信回路、
該ワイヤレス通信回路に結合されており、一つ又はそれ以上の出力信号、該一つ又はそれ以上の出て行く遠隔通信信号、及び該一つ又はそれ以上の出て行く局所的通信信号の内の少なくとも一つを与えることにより、該一つ又はそれ以上の入ってくる局所的通信信号及び一つ又はそれ以上の入力信号の内の少なくとも一つに応答する処理回路、
該処理回路に結合されており、該一つ又はそれ以上の入力信号及び一つ又はそれ以上の局所的エネルギエミッションの内の少なくとも一つを与えることにより、一つ又はそれ以上の局所的励起及び該一つ又はそれ以上の出力信号の内の少なくとも一つに応答する入力／出力回路、
を有しており、
該複数個のモバイル通信装置の内の第一のものが、該一つ又はそれ以上の局所的ワイヤレス送信信号の内の第二のもの及び該一つ又はそれ以上の遠隔ワイヤレス送信信号の内の第一のものを与えることにより、該一つ又はそれ以上の局所的励起の第一の部分及び該一つ又はそれ以上の局所的ワイヤレス送信信号の内の少なくとも第一のものに応答し、
該複数個のモバイル通信装置の内の第二のものが、該一つ又はそれ以上の局所的ワイヤレス送信信号の内の該第一のもの及び該一つ又はそれ以上の遠隔ワイヤレス送信信号の内の第二のものを与えることにより、該一つ又はそれ以上の局所的励起の内の第二の部分及び該一つ又はそれ以上の局所的ワイヤレス送信信号の内の少なくとも該第二のものに応答し、
該一つ又はそれ以上の遠隔ワイヤレス送信信号の内の該第一のものは該一つ又はそれ以上の局所的励起の内の該第一の部分の少なくともサブ部分に関連しており、且つ
該一つ又はそれ以上の遠隔ワイヤレス送信信号の内の該第二のものは該一つ又はそれ以上の局所的励起の内の該第二の部分の少なくともサブ部分に関連している。
【００１１】
現在特許請求の範囲に記載されている発明の別の実施例によれば、複数個のモバイル通信装置が一つ又はそれ以上の局所的協調動作を実施するために提供されており、該複数個のモバイル通信装置の各一つは、
該複数個のモバイル通信装置の内の少なくとも別の一つからの一つ又はそれ以上の局所的ワイヤレス送信信号を受け取り且つそれに応答して一つ又はそれ以上の入ってくる局所的通信信号を与え、且つ一つ又はそれ以上の出て行く局所的通信信号を受け取り且つそれに応答して該複数個のモバイル通信装置の内の少なくとも別の一つによる受信のための一つ又はそれ以上の局所的ワイヤレス送信信号を与えるためのワイヤレス通信手段、
該一つ又はそれ以上の入ってくる局所的通信信号及び一つ又はそれ以上の入力信号の内の少なくとも一つを受け取り且つそれに応答して一つ又はそれ以上の出力信号及び該一つ又はそれ以上の出て行く局所的通信信号の内の少なくとも一つを与えるためのプロセッサ手段、及び
一つ又はそれ以上の局所的励起及び該一つ又はそれ以上の出力信号の内の少なくとも一つを受け取り且つそれに応答して該一つ又はそれ以上の入力信号及び一つ又はそれ以上の局所的エネルギエミッションの内の少なくも一つを与えるための入力／出力回路、
を有しており、
該複数個のモバイル通信装置の内の第一のものが、該一つ又はそれ以上の局所的励起の内の少なくとも第一の部分を受け取り且つそれに応答して該一つ又はそれ以上の局所的ワイヤレス送信信号の内の第一のものを与え、且つ
該複数個のモバイル通信装置の内の第二のものが、該一つ又はそれ以上の局所的励起の内の少なくとも第二の部分及び該一つ又はそれ以上の局所的ワイヤレス送信信号の内の少なくとも該第一のものを受け取り且つそれに応答して該一つ又はそれ以上の局所的エネルギエミッションの内の第一のものを与える。
【００１２】
現在特許請求の範囲に記載されている発明の別の実施例によれば、一つ又はそれ以上の局所的協調動作を実施するために複数個のモバイル通信装置が提供されており、該複数個のモバイル通信装置の内の各一つは、
該複数個のモバイル通信装置の内の少なくとも別の一つから一つ又はそれ以上の局所的ワイヤレス送信信号を受け取り且つそれに応答して一つ又はそれ以上の入ってくる局所的通信信号を与え、一つ又はそれ以上の出て行く局所的通信信号を受け取り且つそれに応答して該複数個のモバイル通信装置の内の少なくとも別の一つによる受信のための一つ又はそれ以上の局所的ワイヤレス送信信号を与え、且つ一つ又はそれ以上の出て行く遠隔通信信号を受け取り且つそれに応答して該複数個のモバイル通信装置から遠隔的に位置している受信機による受信のための一つ又はそれ以上の遠隔ワイヤレス送信信号を与えるためのワイヤレス通信手段、
該一つ又はそれ以上の入ってくる局所的通信信号及び一つ又はそれ以上の入力信号の内の少なくとも一つを受け取り且つそれに応答して一つ又はそれ以上の出力信号、該一つ又はそれ以上の出て行く遠隔通信信号、及び該一つ又はそれ以上の出て行く局所的通信信号の内の少なくとも一つを与えるためのプロセッサ手段、及び
一つ又はそれ以上の局所的励起及び該一つ又はそれ以上の出力信号の内の少なくとも一つを受け取り且つそれに応答して該一つ又はそれ以上の入力信号及び一つ又はそれ以上の局所的エネルギエミッションの内の少なくとも一つを与えるための入力／出力手段、
を有しており、
該複数個のモバイル通信装置の内の第一のものは、該一つ又はそれ以上の局所的励起の内の第一の部分及び該一つ又はそれ以上の局所的ワイヤレス送信信号の内の少なくとも第一のものを受け取り且つそれに応答して該一つ又はそれ以上の局所的ワイヤレス送信信号の内の第二のもの及び該一つ又はそれ以上の遠隔ワイヤレス送信信号の内の第一のものを与え、
該複数個のモバイル通信装置の内の第二のものは、該一つ又はそれ以上の局所的励起の内の第二の部分及び該一つ又はそれ以上の局所的ワイヤレス送信信号の内の少なくとも該第二のものを受け取り且つそれに応答して該一つ又はそれ以上の局所的ワイヤレス送信信号の内の該第一のもの及び該一つ又はそれ以上の遠隔ワイヤレス送信信号のうちの第二のものを与え、
該一つ又はそれ以上の遠隔ワイヤレス送信信号の内の該第一のものは、該一つ又はそれ以上の局所的励起の内の該第一の部分の少なくともサブ部分に関係しており、
該一つ又はそれ以上の遠隔ワイヤレス送信信号の内の該第二のものは、該一つ又はそれ以上の局所的励起の内の該第二の部分の少なくともサブ部分に関係している。
【００１３】
現在特許請求の範囲に記載されている別の実施例によれば、一つ又はそれ以上の協調動作を実施するために複数個のモバイル通信装置が提供されており、該複数個のモバイル通信装置の内の各一つが、
一つ又はそれ以上の入ってくる局所的通信信号を与えることにより該複数個のモバイル通信装置の内の少なくとも別の一つからの一つ又はそれ以上の局所的ワイヤレス送信信号と、該複数個のモバイル通信装置の内の少なくとも別の一つによる受信のための一つ又はそれ以上の局所的ワイヤレス送信信号を与えることにより一つ又はそれ以上の出て行く局所的通信信号と、一つ又はそれ以上の入ってくる遠隔通信信号を与えることにより該複数個のモバイル通信装置から遠隔的に位置した送信機からの一つ又はそれ以上の遠隔ワイヤレス送信信号と、該複数個のモバイル通信装置から遠隔的に位置している受信機による受信のための一つ又はそれ以上の遠隔ワイヤレス送信信号を与えることにより一つ又はそれ以上の出て行く遠隔通信信号とに応答するワイヤレス通信回路、
メモリ回路を包含しており、該ワイヤレス通信回路へ結合されており、一つ又はそれ以上の出力信号及び該一つ又はそれ以上の出て行く局所的通信信号の内の少なくとも一つを与えることにより該一つ又はそれ以上の入ってくる局所的通信信号及び一つ又はそれ以上の入力信号の内の少なくとも一つに応答する処理回路、
少なくとも１個のセンサーを包含しており、該処理回路に結合されており、且つ該一つ又はそれ以上の入力信号及び一つ又はそれ以上の局所的エネルギエミッションの内の少なくとも一つを与えることにより、少なくとも一つの局所的環境特性の検知を含む一つ又はそれ以上の局所的励起及び該一つ又はそれ以上の出力信号の内の少なくとも一つに応答する入力／出力回路、
を有しており、
該複数個のモバイル通信装置の内の少なくとも一部の各一つが、一つ又はそれ以上の所定の位置に対応するプログラムされたデータ、一つ又はそれ以上の所定の時間に対応するプログラムされたデータ、該一つ又はそれ以上の局所的ワイヤレス送信信号の夫々の一つ又はそれ以上のものの受信、該一つ又はそれ以上の遠隔ワイヤレス送信信号の内の夫々の一つ又はそれ以上のものの受信、及び一つ又はそれ以上の局所的励起の内の少なくとも一つの所定の一つ又はそれ以上の検知、の内の一つ又はそれ以上に、
一つ又はそれ以上の局所的励起の内の該少なくとも一つの該所定の一つ又はそれ以上に対応する励起データを捕獲し且つ、該一つ又はそれ以上の局所的ワイヤレス送信信号の内の別の夫々の一つ又はそれ以上、及び該一つ又はそれ以上の遠隔ワイヤレス送信信号の内の別の夫々の一つ又はそれ以上、の内の一つ又はそれ以上を開始させることにより、応答する。
【００１４】
現在特許請求の範囲に記載されている発明の別の実施例によれば、一つ又はそれ以上の協調動作を実施するために複数個のモバイル通信装置が提供され、該複数個のモバイル通信装置の内の各一つは、
該複数個のモバイル通信装置の内の少なくとも別の一つからの一つ又はそれ以上の局所的ワイヤレス送信信号を受け取り且つそれに応答して一つ又はそれ以上の入ってくる局所的通信信号を与え、一つ又はそれ以上の出て行く局所的通信信号を受け取り且つそれに応答して該複数個のモバイル通信装置の内の少なくとも別の一つによる受信のための一つ又はそれ以上の局所的ワイヤレス通信信号を与え、該複数個のモバイル通信装置から遠隔的に位置している送信機からの一つ又はそれ以上の遠隔ワイヤレス送信信号を受け取り且つそれに応答して一つ又はそれ以上の入ってくる遠隔通信信号を与え、且つ一つ又はそれ以上の出て行く遠隔通信信号を受け取り且つそれに応答して該複数個のモバイル通信装置から遠隔的に位置している受信機による受信のための一つ又はそれ以上の遠隔ワイヤレス通信信号を与えるためのワイヤレス通信手段、
メモリ手段を包含しており、該一つ又はそれ以上の入ってくる局所的通信信号及び一つ又はそれ以上の入力信号の内の少なくとも一つを受け取り且つそれに応答して一つ又はそれ以上の出力信号及び該一つ又はそれ以上の出て行く局所的通信信号の内の少なくとも一つを与えるためのプロセッサ手段、及び
センサー手段を包含しており、少なくとも一つの局所的環境特性の検知を含む一つ又はそれ以上の局所的励起及び該一つ又はそれ以上の出力信号の内の少なくとも一つを受け取り且つそれに応答して該一つ又はそれ以上の入力信号及び一つ又はそれ以上の局所的エネルギエミッションの内の少なくとも一つを与えるための入力／出力手段、
を有しており、
該複数個のモバイル通信装置の内の少なくとも一部の各一つが、
一つ又はそれ以上の所定の位置に対応する予めプログラムされたデータ、
一つ又はそれ以上の所定の時間に対応する予めプログラムされたデータ、
該一つ又はそれ以上の局所的ワイヤレス送信信号の内の夫々の一つ又はそれ以上の受信、
該一つ又はそれ以上の遠隔ワイヤレス送信信号の内の夫々の一つ又はそれ以上の受信、及び、
一つ又はそれ以上の局所的励起の内の少なくとも一つの内の所定の一つ又はそれ以上の検知、
の内の一つ又はそれ以上に応答し、その場合に、
該一つ又はそれ以上の局所的励起の内の少なくとも一つの内の該所定の一つ又はそれ以上に対応する励起データをキャプチャーし、且つ
該一つ又はそれ以上の局所的ワイヤレス送信信号の内の別の夫々の一つ又はそれ以上、及び、
該一つ又はそれ以上の遠隔ワイヤレス送信信号の内の別の夫々の一つ又はそれ以上、
の内の一つ又はそれ以上を開始させることによる、ものである。
【図面の簡単な説明】
【００１５】
【図１】現在特許請求の範囲に記載されている発明の１実施例に基く複数個のモバイル電話の内の一つの主要な要素の機能的ブロック図。
【図２】図１の要素を詳細に示した概略図。
【図３Ａ】現在特許請求の範囲に記載されている発明の１実施例に基いて複数個のモバイル電話が局所的な協調動作を実施している１例を示した概略図。
【図３Ｂ】現在特許請求の範囲に記載されている発明の１実施例に基いて複数個のモバイル電話が局所的な協調動作を実施している１例を示した概略図。
【図３Ｃ】現在特許請求の範囲に記載されている発明の１実施例に基いて複数個のモバイル電話が局所的な協調動作を実施している１例を示した概略図。
【図３Ｄ】現在特許請求の範囲に記載されている発明の１実施例に基いて複数個のモバイル電話が局所的な協調動作を実施している１例を示した概略図。
【図４】（Ａ）乃至（Ｄ）は現在特許請求の範囲に記載されている発明の更なる実施例に基いて複数個のモバイル電話が局所的な協調動作を実施している幾つかの例を示した概略図。
【図５】現在特許請求の範囲に記載されている発明の別の実施例に基いて複数個のモバイル電話が一つ又はそれ以上の局所的な環境特性について協調的に検知し且つ報告する場合の例を示した概略図。
【図６】現在特許請求の範囲に記載されている発明に基いて複数個のモバイル電話が協調することが可能な幾つかの形態のネットワークを示した概略図。
【図７】現在特許請求の範囲に記載されている発明の別の実施例に基いて一つのモバイル電話が他のモバイル電話の協調的ネットワーク内に入り、その中で動作し、且つそれから出る１例を示した概略図。
【発明を実施するための形態】
【００１６】
以下の詳細な説明は、添付の図面を参照しての現在特許請求の範囲に記載されている発明の例示的実施例についてのものである。この説明は例示的なものであり且つ本発明の範囲に関して制限することを意図したものではない。これらの実施例は、本発明を当業者が実施することを可能とするために十分に詳細に記載しており、且つ本発明の精神及び範囲を逸脱すること無しに幾つかの変形を伴って他の実施例として実施することが可能であることが理解される。
【００１７】
本開示全体にわたり、文脈からそうでないことが明瞭に表されるものでなければ、説明するような個々の回路要素は単数又は複数である場合があることが理解される。例えば、「回路（circuit）」及び「回路（circuitry）」という用語は、能動的及び／又は受動的なものであって所望の機能を与えるために接続されているか又はその他の態様で結合されている（例えば、一つ又はそれ以上の集積回路チップとして）かに拘らずに、単一のコンポーネントであるか又は複数個のコンポーネントであるかのいずれかを包含する場合がある。更に、「信号（signal）」という用語は、一つ又はそれ以上の電流、一つ又はそれ以上の電圧、又はデータ信号のことを意味する場合がある。図面中において、同様の又は関係する要素は同様の又は関係する英語、数字、又は英数字の指示子を有している。更に、本発明を個別的な電子回路（好適には、一つ又はそれ以上の集積回路チップの形態における）を使用する実現例の文脈で説明しているが、このような回路の任意の部分の機能は、処理すべき信号周波数又はデータレートに依存して、一つ又はそれ以上の適宜プログラムしたプロセッサを使用して代替的に実現することが可能である。
【００１８】
以下に更に詳細に説明するように、各モバイル電話をネットワークにおけるノードとして取り扱うことにより複数個のモバイル電話が局所的な協調動作を実施するが、各ノードは該ネットワークを形成しているノードの少なくとも幾つかの間での信号通信を許容するのに十分に近接しているいずれかの他のその様なノードによってアクセスされることが可能である。その結果発生する機能は、ビデオディスプレイ、スピーカ、及びマイクロフォンの局所的及び遠隔制御、及び局所的協調ネットワークを形成しているモバイル電話内のコンピュータによる一つ又はそれ以上の共通のプログラム又は機能の協調的実行を包含している。
【００１９】
以下の説明は、現在特許請求の範囲に記載されている発明の携帯電話等のモバイル電話における及びそれを伴う適用例の文脈において提示する。しかしながら、当業者によって容易に理解されるように、現在特許請求の範囲に記載されている発明は、コンピュータ、ビジュアル（例えば、ビデオ）ディスプレイ、１個又はそれ以上のワイヤレストランシーバ（例えば、無線周波数又は赤外線）、１個又はそれ以上の音響的出力トランスデューサ（例えば、スピーカ）、１個又はそれ以上の入力音響的トランスデューサ（例えば、マイクロフォン）、及び光プロジェクタ（例えば、可視光、赤外線、紫外線又はレーザ）を含むがこれらに限定されるものではない最近のモバイル電話の基本的な機能要素の全てではないとしてもその多くを具備する事実上任意のモバイル通信装置へ適用することも可能である。
【００２０】
図１を参照すると、以下に更に詳細に説明するように、現在特許請求の範囲に記載されている発明の１実施例に基く複数個のモバイル電話からなる一つのグループの中の各モバイル電話は、入力回路１２、出力回路１４、プロセッサ回路１６、及びワイヤレストランシーバ回路１８を包含しており、それらは実質的に図示した如くに相互接続されている。入力回路１２は、局所的励起１１ａ（例えば、ユーザによる音声エネルギのエミッション又はキーパッド入力、局所的環境特性の検知により発生されるセンセーション、又はプログラムの局所的実行と関連する命令又はデータ）を受け取り、且つそれに応答して、それは一つ又はそれ以上の入力信号１３を供給する。出力回路１４は、プロセッサ回路１６からの出力信号１５に応答して、局所的エネルギエミッション１１ｂ（例えば、音響的エネルギ、可視光、又はビデオディスプレイのエミッション）を供給する。プロセッサ回路１６は出て行く（outgoing）通信信号１７ａを供給し且つ入ってくる（incoming）通信信号１７ｂを受け取り、それらは、夫々、入力信号１３及び出力信号１５と関係している。ワイヤレストランシーバ回路１８は、夫々、出て行く通信信号１７ａ及び入ってくる通信信号１７ｂに関係しているワイヤレス送信信号１９ａ，１９ｂを送信し且つ受信し、且つ又、例えばグローバルポジショニングシステム（ＧＰＳ）の一部として衛星により送信されるようなワイヤレス位置決め信号１９ｃも受信する。
【００２１】
図２を参照すると、現在特許請求の範囲に記載されている発明の一つの例示的実施例１００に基いて、図１のシステム１０の要素を以下の如くに実現することが可能である。プロセッサ回路１６はベースバンド信号処理エンジン１０６として実現することが可能であり、それは、汎用プロセッサ１０６ａと、デジタル信号プロセッサ（ＤＳＰ）１０６ｂと、メモリ１０６ｃと、グラフィックプロセッサ１０６ｄとを包含しており、それら全ては良く知られている原理に従って互いに通信及び相互作用を行なう。
【００２２】
ワイヤレストランシーバ回路１８は、インターフェース回路１２４、無線周波数（ＲＦ）通信回路１２６ａ、１２６ｂ、及びワイドエリアネットワーク（ＷＡＮ）を介して通信するためのアンテナ１２８として実現することが可能である。更にＧＰＳ位置決め回路１３０及び衛星信号を受信するためのアンテナ１３２を包含させることが可能である。更に、「ワイヤレスフィデリティ」（Ｗｉ−Ｆｉ）回路１３４ａ、ブルトース（Bluetooth）回路１３４ｂ、ジグビー（Zigbee）回路１３４ｃ、及びアンテナ１３６、及び、ローカルエリアネットワーク（ＬＡＮ）又はパーソナルエリアネットワーク（ＰＡＮ）を介して通信するための赤外線（ＩＦ）回路１３８のいずれか又は全てを包含させることが可能である。
【００２３】
入力回路１２は、トランスデューサ及びキーパッドインターフェース回路１０４の一部、センサー１１０ａ・・・１１０ｎ、オーディオサブシステム回路１１２の一部、マイクロフォン１１４ａ，１１４ｂ、キーパッド１１４ｃ、及びイメージセンサー（例えば、カメラ）１２２を使用して実現することが可能である。出力回路１４は、トランスデューサ及びキーパッドインターフェース回路１０４の一部、電気機械的バイブレータ１０８ａ、発光ダイオード（ＬＥＤ）１０８ｂ、オーディオサブシステム回路１１２の一部、スピーカ１１６ａ，１１６ｂ、ビデオディスプレイ１１８、及びマイクロプロジェクタ１２０を使用して実現することが可能である。
【００２４】
このシステム１００へのパワーを供給するバッテリー１０２は、その電圧１０３をパワー管理回路１５０によってモニターさせ、該回路は、所望により、システム１００の選択した部分１０４，１０６，１０６ａ，１０６ｂ，１０６ｃ，１０６ｄ，１１２，１１８，１２０，１２２，１２４，１２６ａ，１２６ｂ，１３０，１３４ａ，１３４ｂ，１３４ｃ，１３８に対してパワー管理制御信号１５１を供給する。
【００２５】
オーディオサブシステム回路１１２は、マイクロフォン１１４ａ，１１４ｂから入ってくる音響信号１１５ａ，１１５ｂを受け取り且つスピーカ１１６ａ，１１６ｂに対して出て行く音響信号１１７ａ，１１７ｂを供給する。スピーカ１１６ａ，１１６ｂはシステム１００のハウジング（不図示）内に装着することが可能であり、又はユーザによる個人的なリッスニングのための１個又はそれ以上のイヤホーンの形態とすることが可能である。入ってくる音響信号１１５ａ，１１５ｂ及び出て行く音響信号１１７ａ，１１７ｂは、オーディオサブシステム回路１１２と処理エンジン１０６との間で通信される一群の信号１１３の一部として伝達される。
【００２６】
キーパッド１１４ｃは、ユーザによる手作業のデータ入力を許容する。現在のところ、この様なキーパッドは、典型的に、ユーザの指によって操作されるべき専用の組の電気機械的プッシュボタンスイッチとして、又はユーザの指又はスタイラスによって操作されるべきビデオディスプレイ１１８上に表示されるタッチスクリーン上の仮想ボタンによって形成される仮想キーボードとして実現される。しかしながら、キーパッド１１４ｃの役割は、例えばオーディオサブシステム回路１１２を介しての音響信号１１５ａ，１１５ｂ，１１３として伝達されるマイクロフォン１１４ａ，１１４ｂを介して受信される聴覚ユーザコマンドを処理するために処理エンジン１０６によって実行される音声認識ソフトウエアの使用を介して達成することも可能である。ビジュアル信号１１９，１２１，１２３は、処理エンジン１０６と、ディスプレイ１１８、マイクロプロジェクタ１２０、及びイメージセンサー１２２と間で通信される。
【００２７】
衛星信号はアンテナ１３２を介して受信され、それはＧＰＳ回路１３０に対して受信信号１３３を供給する。すると、ＧＰＳ回路１３０は適宜変換した信号１３１を処理エンジン１０６へ供給する。
【００２８】
ＷＡＮを介しての遠隔ワイヤレス通信は、アンテナ１２８を介してのＲＦ信号を通信することにより達成される。入ってくる信号及び出て行く信号は、アンテナ１２８とＲＦ回路１２６ａ，１２６ｂとの間で送信ライン１２９を介して伝達される。ＲＦ回路１２６ａ，１２６ｂによる変換のため又はそれにより変換された出て行く信号及び入ってくる信号１２７ａ，１２７ｂは、更に、ベースバンド回路１２４（例えば、アナログ・デジタル又はデジタル・アナログ変換）によって変換される。対応するデジタル１２５ａ、アナログ１２５ｂ又は混合１２５ｃベースバンド信号は処理エンジン１０６へ及びそれから通信される。アンテナ１２８を介して通信されるＲＦ信号は、又、例えば、信号タイミング、信号強度、トランシーバ位置データ等に基いてこの様なトランシーバの既知の位置に対してのシステム１０の位置を計算するために複数個のインフラストラクチャトランシーバ（不図示）から受信される信号を使用することにより、既知の技術に基いてシステム１０のロケーション（例えば、地理的）又はポジション即ち位置（例えば、別のロケーションに対して）を決定するために使用することが可能である。
【００２９】
ＬＡＮ又はＰＡＮを介してのローカルワイヤレス通信は、ＲＦ信号１３７をＷｉ−Ｆｉ１３４ａ、ブルトース１３４ｂ、又はジグビー１３４ｃ回路へ及びそれから通信するアンテナ１３６を介して達成される。対応するベースバンド信号１３５ａ、１３５ｂ、１３５ｃは処理エンジン１０６へ及びそれから通信される。付加的なＬＡＮ又はＰＡＮ通信は、処理エンジン１０６へ及びそれから通信される対応するベースバンド信号１３９と共に、ＩＲ回路１３８（それはＩＲ信号を受信するための１個又はそれ以上のＩＲセンサー及びＩＲ信号を送信するための１個又はそれ以上のＩＲエミッターを包含する場合がある）を介して達成することが可能である。付加的に、ベースバンド信号１３５ａ，１３５ｂ，１３５ｃ，１３９の一つ又はそれ以上はワイヤレスオーディオインターフェース、例えばブルトースイアフォン又はヘッドセット、へ通信するための出て行く音響信号を運ぶことが可能である。
【００３０】
以下により詳細に説明するように、マイクロフォン１１４ａ，１１４ｂ及びスピーカ１１６ａ，１１６ｂはユーザとの入ってくるもの及び出て行くものの両方に対する音響インターフェースを与える。同様に、ディスプレイ１１８、マイクロプロジェクタ１２０及びイメージセンサー１２２は、ユーザとの出て行くもの及び入ってくるものの両方に対するビジュアルインターフェースを与える。ロケーション及びポジション情報は、音響的か又はビジュアル的のいずれかによってユーザへ通信することが可能である。更に、センサー１１０ａ，・・・，１１０ｎによって検知されるような化学物質、ガス（例えば、一酸化炭素、二酸化炭素など）、放射線、煙、気圧又は温度等の種々の環境条件も音響的に又はビジュアル的のいずれかでユーザへ通信することが可能であり、且つＷＡＮ，ＬＡＮ又はＰＡＮを介してその他へ通信することも可能である。
【００３１】
図３Ａを参照すると、それらの夫々のマイクロプロジェクタ１０２ａ，１２０ｂ，１２０ｃが共通面又はオブジェクト３００上に投影するためにフォーカスした光又はビデオ画像２０１ａ，２０１ｂ，２０１ｃを協調的に提供する協調的動作を実施するために一群のモバイル電話２００ａ，２００ｂ，２００ｃを使用することが可能である。
【００３２】
図３Ｂを参照すると、シミュレーションした音楽グループとして音楽を協調的に提供するために一群のモバイル電話２００ａ，２００ｂ，２００ｃ，２００ｄ，２００ｅを使用することが可能である。例えば、マスタ即ちホストの電話２００ａは楽器デジタルインターフェース（ＭＩＤＩ）、ＭＰＥＧ−１オーディオプレーヤ（ＭＰ１，ＭＰ２，ＭＰ３）又はそのメモリ１０６ｃ内に格納されているデジタル音楽データファイルのその他の形態に基いてその処理エンジン１０６（図２）内のプログラムを実行することが可能である。デジタル音楽データは、管楽器又は弦楽器などの異なる楽器に対応するデータへ構文解析することが可能である。このデータは、例えばブルトース等のＰＡＮ信号２０１ａａを介して他の電話２００ｂ，２００ｃ，２００ｄ，２００ｅへ通信することが可能である。良く知られている技術に基いて、この信号２０１ａａは、各夫々の電話２００ｂ，２００ｃ，２００ｄ，２００ｅに対して意図された音楽データを適宜のアドレス情報で識別して、時分割多重アクセス（ＴＤＭＡ）又はコード分割多重アクセス（ＣＤＭＡ）フォーマットでブロードキャストさせることが可能である。この構文解析した音楽データを使用して、ホスト２００ａを含む各電話は、その夫々のスピーカ１１６ａ，１１６ｂ（図２）を介して音響エネルギ２０１ａ，２０１ｂ，２０１ｃ，２０１ｄ，２０１ｅをエミット即ち射出し、それによりシミュレーションした音楽グループとして音楽を協調的に提供する。
【００３３】
図３Ｃを参照すると、同様の態様で、ホスト電話２０１ａは、サラウンドサウンド効果を持っているもののようなマルチチャンネルサウンドに対応してオーディオデータが送信されるように、他の電話２００ｂ，２００ｃ，２００ｄ，２００ｅへ信号２０１ａａ（例えば、ブルトース）をブロードキャストさせることが可能である。例えば、ホスト電話２００ａは正面中央チャンネルに対応する音響エネルギ２０１ａを射出することが可能であり、一方２個の付加的な電話２００ｂ，２００ｅは正面右及び正面左のチャンネルに対応する音響エネルギ２０１ｂ，２０１ｅを射出し、且つ２個の付加的な電話２００ｃ，２００ｄは背面右及び背面左のチャンネルに対応する音響エネルギ２０１ｃ，２０１ｄを射出する。
【００３４】
ホスト２００ａはＭＩＤＩファイルデータの主要な提供体であることが可能であるが、他の電話２００ｂ，２００ｃ，２００ｄ，２００ｅの各ユーザはそれらの夫々のキーパッド１１４ｃ（図２）を使用してそれらの夫々の音響射出２０１ｂ，２０１ｃ，２０１ｄ，２０１ｅを向上させるか又は修正して異なる音楽的効果又はパワーレベルを与えることが可能である。付加的に、各電話２００ａ、２００ｂ，２００ｃ，２００ｄ，２００ｅのユーザは、センサー１１０ａ，・・・，１１０ｎ（図２）の内の一つに包含されているようなマイクロ電気機械的システム（ＭＥＭＳ）センサー等の内部加速度センサーによって検知されてそれらの夫々の電話２００ａ、２００ｂ，２００ｃ，２００ｄ，２００ｅの動きを制御することによりそれらの夫々の音響射出２０１ａ，２０１ｂ，２０１ｃ，２０１ｄ，２０１ｅを修正することが可能である。例えば、加速度センサーによって検知されるような電話の動きは指揮者によって操作される指揮棒の効果を有する場合がある。従って、電話の物理的な動きを、音楽のタイプ又は射出されるサウンドの他の特性を修正するためのユーザにより開始される入力として使用することが可能である。
【００３５】
図３Ｄを参照すると、一群の電話２００ａ、２００ｂ，２００ｃ，２００ｄ，２００ｅが例えばマルチプレーヤゲーム等として協調的に動作することが可能であり、その場合に、複数の電話が、所望の又は適宜の音響エネルギ２０１ａ，２０１ｂ，２０１ｃ，２０１ｄ，２０１ｅを夫々射出して、夫々のＰＡＮ信号（例えば、ブルトース）を介して通信する。勿論、夫々の協調的ビジュアルディスプレイ又は投影も望ましく且つ適切である場合もある。
【００３６】
図４Ａ〜４Ｄを参照すると、一群のモバイル電話２００ａ，２００ｂを、平面画像（図４Ａ），三次元オブジェクト（図４Ｂ）、サウンドなどのエネルギ射出（図４Ｃ）、及び温度又は化学物質又はガスの存在等の局所的環境特性（図４Ｄ）の形態における局所的励起に応答するために、使用することが可能である。これらの例は、２個の装置の使用を描写しているが、現在特許請求の範囲に記載されている発明に基いて事実上任意の数の装置を使用することが可能であることは容易に理解される。
【００３７】
例えば、図４Ａを参照すると、それらのカメラ／イメージセンサー１２２ａ，１２２ｂ（図２）を使用する２個の装置２００ａ，２００ｂが、それらの夫々の視野３０３ａ，３０３ｂを介して画像３０２の夫々の部分３０２ａ，３０２ｂについての画像情報をキャプチャする。キャプチャした画像情報は、処理エンジン１０６（図２）による処理のために、カメラ／イメージセンサー１２２ａ，１２２ｂによって画像信号へ変換される。装置２００ａ，２００ｂの各々によってキャプチャされた夫々の画像情報は、局所的ワイヤレス通信信号２３７ａ，２３７ｂ（例えば、Ｗｉ−Ｆｉ、ブルトース、ジグビー又はＩＲ）を介して相互に交換することが可能であり、それにより各装置２００ａ，２００ｂが、その夫々のビデオディスプレイ１１８ａ，１１８ｂ上に全画像３０２を表示するか、又はその夫々のマイクロプロジェクタ１２０（両方の視野３０３ａ，３０３ｂに共通の画像エリア３０２ｃに対応する二重の画像情報に対する適宜の補正又は補償を伴って）によって発生される二次元又は三次元（例えば、ホログラフィック）投影画像として表示することを可能とする。付加的に、各装置２００ａ，２００ｂは、遠隔ワイヤレス通信信号２２９ａ，２２９ｂを、例えばＲＦ信号として、携帯電話システムベースステーション（不図示）へ送信することが可能である。
【００３８】
図４Ｂを参照すると、画像情報の同様の知覚及び表示をオブジェクト３０４に対して行なうことが可能であり、その場合に、画像情報３０４ａ，３０４ｂは異なる装置２００ａ，２００ｂによって知覚されるオブジェクト３０４の異なるビュー即ち画面に対応しており、且つ結果的に回収される画像情報は局所的ワイヤレス通信信号２３７ａ，２３７ｂを介して交換されるか又は遠隔ワイヤレス通信信号２２９ａ，２２９ｂを介してどこか他の場所での使用又は処理のために送信される（この場合も、視野の重畳に起因して回収された重複する画像情報３０４ｃに対する適宜の補正又は補償が伴う）。
【００３９】
図４Ｃを参照すると、画像情報の代わりに、該装置は、サウンド供給源３０６から射出された音響エネルギ３０７をキャプチャするためにそれらの夫々のマイクロフォン１１４ａａ，１１４ａｂを使用することが可能である。他の例の場合におけるように、種々の装置２００ａ，２００ｂによってキャプチャされるサウンド情報は、局所的ワイヤレス通信信号２３７ａ，２３７ｂを介して相互に共有するか、又は遠隔ワイヤレス通信信号２２９ａ，２２９ｂを介して遠隔受信機へ供給することが可能である。この様に音響情報を別々にキャプチャすることは、マルチチャンネル（例えば、ステレオ又はサラウンドサウンド）に従って音響エネルギ３０７をキャプチャするため、又は効果的にキャプチャし且つ異なる周波数範囲を別々に処理するように各装置２００ａ，２００ｂが周波数フィルタリングを実施するようにキャプチャした音響情報３０７を処理するために、有益的に使用することが可能である。
【００４０】
図４Ｄを参照すると、モバイル装置２００ａ，２００ｂは、又、局所的環境特性（例えば、大気温度、化学物質又はガスの存在、放射線、煙又は気圧）を検知するためにそれらの夫々のセンサー１１０ａａ，・・・，１１０ｎａ，１１０ａｂ，・・・，１１０ｎｂ（図２）を使用することが可能である。
【００４１】
この現在特許請求の範囲に記載されている発明の例示的実施例の説明によって理解することが可能であるように、モバイルワイヤレス通信装置の協調能力に関して機能的相互性が達成される。複数個の装置は、そうでなければ互いに物理的に且つ動作的に相互に独立的なものであるが、可視的表示（例えば、ビジュアルディスプレイのビデオ又はその他の形態）、投影した光（例えば、可視光、赤外線、紫外線、レーザ、又はその他の形態の視覚的経験）又は機械的振動（例えば、可聴的、超低周波、超音波又はその他の形態の音響的経験）の形態でのエネルギを射出するため、及び画像情報又は振動（例えば、音響的）エネルギをキャプチャするか又は局所的環境特性を検知することによって励起に応答するために、協調的に動作することが可能である。
【００４２】
図５を参照すると、現在特許請求の範囲に記載されている発明の別の実施例に基いて、複数個の装置２００ａ，２００ｂ，２００ｃ，２００ｄ，２００ｅは、スターネットワークにおいて動作すべくプログラムすることが可能であり、その場合に、一つの装置２００ａは「マスター」として機能し、一方残りの装置２００ｂ，２００ｃ，２００ｄ，２００ｅは「スレーブ」として機能する。全ての装置２００ａ、２００ｂ，２００ｃ，２００ｄ，２００ｅは、夫々の局所的環境特性３０８ａ，３０８ｂ，３０８ｃ，３０８ｄ，３０８ｅを検知するためにそれらのセンサー１１０ａ，・・・，１１０ｎ（図２）の１個又はそれ以上を使用する。これらの環境特性に対応する情報は、マスター装置２００ａとスレーブ装置２００ｂ，２００ｃ，２００ｄ，２００ｅとの間で局所的ワイヤレス送信信号２３９ｂ，２３９ｃ，２３９ｄ，２３９ｅを介して通信される。マスター装置２００ａは、この情報を、その自身の検知した環境特性３０８ａに関する情報と共に、遠隔ワイヤレス送信信号２２９ａを介して、例えば、遠隔受信機、別のネットワーク内の別の装置、又は一層大きなネットワーク内の上流側の別の装置へ通信する。
【００４３】
検知した環境特性に関する情報と共に、各装置は、又、その夫々のロケーション（例えば、ＧＰＳ信号により決定されるような地理的なもの、又はネットワーク内のその相対的なロケーション）又は該環境データがキャプチャされた時間等の付加的な情報を包含することが可能である。１実施例によれば、各装置２００ａ，２００ｂ，２００ｃ，２００ｄ，２００ｅは、キャプチャすべき環境データのタイプ、この様なデータキャプチャが何時開始されるべきか、この様なデータがキャプチャされるべき頻度、この様なデータがキャプチャされるべき地理的ロケーション、この様なデータがキャプチャされるべきネットワーク内の相対的なロケーション、又は所望によりその他のパラメータに関して予めプログラムさせることが可能である。代替的に、以下に更に詳細に説明するように、このデータキャプチャに関する情報は、それがこの様なデータキャプチャに対して責任を負うネットワークのメンバーとなる場合に、又はこの様な装置がこの様なデータキャプチャが所望される所定のロケーションに入る場合に、各装置へ供給することが可能である。
【００４４】
図６を参照すると、図５に示したようなネットワーク内において動作している複数個の装置は多数のタイプのネットワークにおいて動作することが可能である。例えば、スターネットワークを使用することが可能であり（図５の例におけるように）、その場合に、指定した装置３１０ａはマスター装置として動作し且つその他の装置３０１ｂはスレーブ装置として動作しており、マスター装置３１０ａに対して報告をする。代替的に、メッシュネットワークを使用することが可能であり、その場合に、各装置３０１ａ，３１０ｃは互いに且つ全体的なネットワーク内の所定の近接度内に位置しているいずれかのその他の装置と通信を行なう。更に代替的には、しばしばスターメッシュネットワークと呼称されるこれらのネットワークの結合を使用することが可能であり、その場合に、複数個のマスター装置３１０ａ，３１０ｃ，３１０ｅ，３１０ｇは互いに直接的に通信を行なうことが可能であり、一方夫々のスレーブ装置３１０ｂ，３１０ｄ，３１０ｆ，３１０ｈに対してのマスターとしても作用する。
【００４５】
容易に理解されるように、スターネットワークは、１個の中央のコンタクトポイント３１０ａがネットワーク外部からの通信及び協働することを一層容易なものとさせ、且つ何時及びどれと通信を共有すべきかに関してスレーブユニット３０１ｂによってなされるべき決定を簡単化させることを可能とさせるという意味において簡潔性を提供している。しかしながら、完全なメッシュネットワークは、自動的なノード結合（joining）及び治癒（healing）を伴う改善されたネットワーク信頼性及び予測性、及び通信に対する空間的多様性、固定したリーダーシップが必要の無い制御のより劇的な転送、又は複数の同時的なリーダの存在、を提供する。両方のタイプの多くの利点はスターメッシュネットワークで実現することが可能である。
【００４６】
図７を参照すると、現在特許請求の範囲に記載されている発明の別の実施例に基いて、装置２００ａは、定義されているロケーション３２０内に入った後に局所的環境特性３０８ａに対応するセンサーデータのキャプチャを開始すべくプログラムすることが可能である。このユニット２００ａは、環境特性３０８ｂ，３０８ｃを検知し且つ対応するセンサーデータをキャプチャするその他の装置２００ｂ，２００ｃと局所的ワイヤレス通信信号２３９ｂ，２３９ｃを介して通信することが可能である。使用中のネットワークのタイプに依存して（図６）、装置２００ａ，２００ｂ，２００ｃの内の１個又はそれ以上はキャプチャしたセンサーデータを遠隔ワイヤレス送信信号２２０ａを介して遠隔受信機、別のネットワーク内の別の装置、又は一層大きなネットワーク内の上流側の別の装置へ通信することが可能である。装置２００ａが定義したロケーション３２０から出ると、その環境データの検知及びキャプチャが終了するようにプログラムすることが可能である。代替的に、環境データのそれ自身の検知及びキャプチャを開始すべく予めプログラムする代わりに、ユニット２００ａは、局所的ワイヤレス送信信号２３９ｂ，２３９ｃに対して応答し且つそれに応答して環境データのその検知及びキャプチャを開始し、該定義したロケーション３２０から出た場合か又は局所的ワイヤレス送信信号２３９ｂ，２３９ｃの内の一つ又はそれ以上を継続して受信しなかった場合に、この様な検知及びデータキャプチャを終了するように、プログラムさせることが可能である。
【００４７】
これらの例の各々において、ユーザによる制御は、キーパッド１１４ｃ又は重複する画像情報を補正又は補償するため、回収した音響情報のマルチチャンネル処理又は周波数フィルタリングを選択するため、回収した画像情報のビデオ表示、回収した音響情報のオーディオ再生、及び回収した画像、音響又は環境情報の局所的又は遠隔通信のためのその他のユーザ制御機構（例えば、上述したようなタッチスクリーン又は音声認識）を介して行なうことが可能である。
【００４８】
本発明の構成及び動作方法における種々のその他の修正及び変形は、本発明の範囲及び精神から逸脱すること無しに、当業者にとって自明なものである。本発明を特定の好適実施例に関連して説明したが、特許請求の範囲に記載されているような本発明はこの様な特定の実施例に不当に制限されるべきものではないことを理解すべきである。特許請求の範囲は本発明の範囲を定義するものであり且つ特許請求の範囲内の構成及び方法及びそれらの均等物はそれによりカバーされるものであることが意図されている。
【図１】
0005578333.tif 000002
【図２】
0005578333.tif 000003
【図３Ａ】
0005578333.tif 000004
【図３Ｂ】
0005578333.tif 000005
【図３Ｃ】
0005578333.tif 000006
【図３Ｄ】
0005578333.tif 000007
【図４】
0005578333.tif 000008
【図５】
0005578333.tif 000009
【図６】
0005578333.tif 000010
【図７】
0005578333.tif 000011